(57)【特許請求の範囲】
【請求項１】
少なくとも、支持基板、金属層、相変化記録層がこの順に積層されている相変化型記録媒体において、
情報マークは前記相変化記録層の、前記金属層に周期的に存在する格子点と隣接する位置に記録され、格子点の配列は隣接するトラック間においてトラック方向にずらして配置されており、前記格子点の大きさは記録・再生に用いるレーザビームの１/e^２で定義される径よりも小さく、前記格子点は前記金属層の放熱機能を小さくした部分であることを特徴とする相変化型記録媒体。
【請求項２】
前記格子点は前記金属層に穴を開けた部分である請求項１記載の相変化型記録媒体。
【請求項３】
前記格子点には前記金属層を構成する少なくとも１種類の元素の酸化物もしくは窒化物もしくはフッ化物もしくは硫化物が存在する請求項１記載の相変化型記録媒体。
【請求項４】
前記格子点において前記金属層の厚みが前記格子点以外の部分より薄い請求項１記載の相変化型記録媒体。
【請求項５】
前記金属層はＡｌ，Ｔｉ，Ｃｕ，Ｚｎ，Ｇｅ，Ｐｄ，Ａｇ，Ｉｎ，Ｓｎ，Ｓｂ，Ｔｅ，Ｐｔ，Ａｕ，Ｔｌ，Ｂｉの群から選ばれる少なくとも１種類の元素を含有する請求項１〜４のいずれかに記載の相変化型記録媒体。
【請求項６】
前記相変化記録層の組成は、ＳｂＴｅを母層として用い、Ｓｂ／Ｔｅ比は１．５から４の範囲とし、Ｇｅ，Ｉｎ，Ｇａ，Ａｇ，Ｓｉ，Ａｌ，Ｂの群から選ばれる少なくとも１つの元素を含有した請求項１〜５のいずれかに記載の相変化型記録媒体。
【請求項７】
請求項１〜６のいずれかに記載の相変化型記録媒体に対して２トラック同時に照射範囲内に含むようにレーザビームを照射し、情報マークを記録・再生することを特徴とする光記録再生装置。
【発明の詳細な説明】
【０００１】
【発明の属する技術分野】
本発明は相変化型記録媒体及び光記録再生装置に関し、詳細には２つのトラックに対して同時に記録、再生でき、相変化記録においてデータ転送速度の向上を図る相変化型記録媒体及び光記録再生装置に関する。
【０００２】
【従来の技術】
相変化型記録媒体は、データ転送速度の高速化が課題となっている。特に記録速度の改善が必要である。相変化記録の場合、結晶−アモルファス間の相変化を利用し情報を記録する。記録速度には、特に結晶化の速度が影響する。結晶化速度を上げるために、記録層材料、ディスクの層構成の改良が行われている。また、相変化記録の信号変調方式としては、８−１６変調や１−７変調が採用されている。これらの変調方式では、記録信号に応じてマーク長を変調する。レーザビームを高速でパルス変調し、パルス数を変えることから所定のマーク長とする。高速記録を実現するためには、レーザビームの高速駆動化、そして高パワー化が必要である。以上のように、相変化記録の高転送速度化は、記録材料・ディスク構成の制限を受ける。また、レーザの特性からも制限を受ける。
【０００３】
２つのトラックに対して同時に記録・再生することができれば、相変化記録における転送速度を大幅に上げることができる。特開２０００−２０７７４７号公報には、ＲＯＭにおいて２列同時に再生するための記録媒体および情報記録再生装置が開示されている。ＲＰＲ（Radial Partial Response）方式と、ビタビ複合を組み合わせたＰＲＭＬ(Partial Response Maximum Likelihood)方式と呼ばれる信号処技術を使って２トラックの信号を同時に再生するものである。このような方式においては、ディスク半径方向にピットが整列している必要があり、高いピット位置精度が要求される。
【０００４】
【発明が解決しようとする課題】
従来、相変化記録の変調方式の場合、信号は１トラック毎にシリアルに記録している。半径方向において隣接するトラック間での情報マークの配列に秩序がない。このために２列のトラックを同時に再生しても記録信号を復元することができない。複数のレーザビームを使って複数のトラックに同時に記録再生する方法が考えられるが、ドライブのコストの増加、消費電力の増加を引き起こす。また、一つのレーザビームを使って、２トラック同時に記録再生するためには、情報マークを所定の位置に精度よく記録する必要がある。
【０００５】
本発明はこれらの問題点を解決するためのものであり、相変化記録において２トラック毎に情報を記録、再生できる相変化型記録媒体及び記録再生装置を提供することを目的とする。
【０００６】
【課題を解決するための手段】
前記問題点を解決するために、少なくとも、支持基板、金属層、相変化記録層がこの順に積層されている、本発明の相変化型記録媒体によれば、情報マークは相変化記録層の、金属層に周期的に存在する格子点と隣接する位置に記録され、格子点の配列は隣接するトラック間においてトラック方向にずらして配置されており、格子点の大きさは記録・再生に用いるレーザビームの１/e^２で定義される径よりも小さく、格子点は金属層の放熱機能を小さくした部分であることに特徴がある。よって、相変化記録において２トラック毎に情報を記録、再生できる。
【０００９】
また、格子点は金属層に穴を開けた部分であることが好ましい。
【００１０】
更に、格子点には金属層を構成する少なくとも１種類の元素の酸化物もしくは窒化物もしくはフッ化物もしくは硫化物が存在することが好ましい。
【００１１】
また、格子点において金属層の厚みが格子点以外の部分より薄いことが好ましい。
【００１２】
更に、金属層はＡｌ，Ｔｉ，Ｃｕ，Ｚｎ，Ｇｅ，Ｐｄ，Ａｇ，Ｉｎ，Ｓｎ，Ｓｂ，Ｔｅ，Ｐｔ，Ａｕ，Ｔｌ，Ｂｉの群から選ばれる少なくとも１種類の元素を含有することが好ましい。
【００１３】
また、相変化記録層の組成は、ＳｂＴｅを母層として用い、Ｓｂ／Ｔｅ比は１．５から４の範囲とし、Ｇｅ，Ｉｎ，Ｇａ，Ａｇ，Ｓｉ，Ａｌ，Ｂの群から選ばれる少なくとも１つの元素を含有したことが好ましい。
【００１５】
また、別の発明としての光記録再生装置は、上記の相変化型記録媒体に対して２トラック同時に照射範囲内に含むようにレーザビームを照射し、情報マークを記録・再生することに特徴がある。よって、２トラック毎に情報を記録、再生できる光記録再生装置を提供できる。
【００２２】
【発明の実施の形態】
本発明の相変化型記録媒体は、少なくとも、支持基板、金属層、相変化記録層がこの順に積層され、情報マークは相変化記録層の、金属層に周期的に存在する格子点と隣接する位置に記録され、格子点の配列は隣接するトラック間においてトラック方向にずらして配置されており、格子点の大きさは記録・再生に用いるレーザビームの１/e^２で定義される径よりも小さく、格子点は金属層の放熱機能を小さくした部分である。
【００２３】
【実施例】
図１は本発明の一実施例に係る相変化型記録媒体の構成を示す図である。同図の（ａ）は断面図であり、同図の（ａ）は平面図である。同図において、本実施例の相変化型記録媒体は、少なくとも、支持基板１０１、金属層１０２、記録層１０４の積層構成によって構成される。なお、これらの層以外に誘電体層もしくは保護層を設けても構わない。支持基板１０１としては、ポリカーボネート、ガラス、石英などの透明基板を用いることができる。もしくは、アルミニウムなどの金属基板を用いることもできる。金属層１０２としては、Ａｌ，Ｔｉ，Ｃｕ，Ｚｎ，Ｇｅ，Ｐｄ，Ａｇ，Ｉｎ，Ｓｎ，Ｓｂ，Ｔｅ，Ｐｔ，Ａｕ，Ｔｌ，Ｂｉの群から選ばれる金属元素を単独で、もしくは複数用いることができる。例えば、ＡｌＴｉ，ＡｌＣｕ，ＡｌＴｉＣｕ，ＡｇＰｄ，ＩｎＴｉ，ＡｇＴｅ，ＳｎＴｅ，ＢｉＴｅなどを用いることもできる。これらのように熱伝導率が高い材料が好ましい。また、これらのようにレーザ加熱で変形、もしくは酸化、窒化、フッ化、硫化する材料が好ましい。記録層１０４としては、例えば共晶組成のＳｂＴｅに添加元素を数種類加えた組成とする。記録層１０４の母相にはＳｂＴｅを用い、ＳｂＴｅの比率Ｓｂ／Ｔｅは１．５〜４、より好ましくは２〜３とする。ＳｂＴｅを母層として添加元素としてＡｇ，Ｉｎ，Ｇｅ，Ｇａ，Ｂ，Ｓｉ，Ａｌの群から選ばれる少なくとも１種の元素を含有した組成とする。好ましくはＡｇＩｎＳｂＴｅ，ＧｅＡｇＩｎＳｂＴｅ，ＧｅＳｂＴｅ，ＧｅＩｎＳｂＴｅ，ＧａＳｂＴｅなどの組成である。このような記録層１０４の材料は、温度プロファイルに対する相変化の追従性がよく、マーク形状を細かく変えることができる。本発明の相変化型記録媒体に適する材料である。１０３及び１０５は、誘電体もしくは保護層１０３，１０５には、ＺｎＳ−ＳｉＯ２，ＳｉＯ２，Ａｌ２Ｏ３，ＳｉＮ，ＧｅＮ，ＢＮ，ＳｉＣ，Ｃなどの材料を用いることができる。張り合わせ基板１０６としては、ポリカーボネート、ガラス、石英などの透明基板を用いることができる。
【００２４】
図１の（ｂ）では記録層や誘電体層を省略し金属層１０２を強調して示している。本発明による相変化型記録媒体においては、周期的に格子点１０２１が存在する。ここで、格子点１０２１とは金属層１０２に形成した特異部分を指している。格子点１０２１では、金属層が存在しない。または、金属層１０２を構成する元素の化合物が存在している。もしくは、金属層１０２の被覆率（膜厚）が格子点以外の部分よりも低下している。
【００２５】
このような構造の相変化型記録媒体の製造方法は、記録媒体がディスク状である場合、格子点１０２１は円周方向（トラック方向）では一定の周期で配列され、半径方向に隣接するトラック間では相互に逆位相になっている。また、格子点の大きさはビーム径よりも小さい。好ましくは、１/e^２で定義されるビーム径の１／２以下とする。格子点１０２１が存在するデータ領域１０８以外に、制御領域１０９を周期的に設けても構わない。この制御領域１０９には、レーザビームのトラッキング信号源となるピット１０２２が設けられている。このピット１０２２は、サンプルサーボ制御の基準となるものである。サンプルサーボトラッキングにより、レーザビームの通過位置が２トラックの中心にくるようにする。
【００２６】
図１の（ｃ）は、レーザビームが通過した際の記録層中の温度分布を示す特性図である。相変化型記録媒体の金属層１０２は、光学的な反射層としての機能の他に熱的な放熱層としての機能を有する。レーザビームが記録層で吸収され発生した熱の多くは、金属層側に拡散、つまり放熱されることが温度シミュレーションから分かっている。従って、金属層の有無によって記録層の温度は大きく異なってきる。例えば、ポリカ基板／Ａｇ薄膜／ＺｎＳ−ＳｉＯ２／ＡｇＩｎＳｂＴｅ／ＺｎＳ−ＳｉＯ２である表面記録型構成の温度シミュレーションによると、Ａｇ１２０ｎｍと０ｎｍではＤＣ光が通過した際の最高到達温度の差が７００℃程度となる計算結果も得られている。本発明では、このような金属層有無による温度差により情報マークを形成する。金属層が無い格子点１０２１は、周辺に比較して高温になり、記録層が相変化する温度プロファイルが形成できる。図１の（ｂ）に示すレーザビーム通過直後の格子点１０４１及び１０４２直上の記録層での温度プロファイルは、図１の（ｃ）からわかるように、格子点（図中一点鎖線で示す）が最高温度になり、格子点から離れる程低下する。つまり、格子点を中心として対象な温度分布が形成できる。よって、記録層の初期状態が結晶である場合には、アモルファス化温度以上になった部分が情報マークとなる。また、微細加工技術を使って金属層を加工し放熱状態を媒体面内において周期的に変えることにより、その周期に対応した温度プロファイルが形成できる。
【００２７】
図２は図１の相変化型記録媒体に対する記録・再生の様子を示す図である。トラックＡとＢの中心ＣＬに対してトラッキングし、図示のビーム移動方向にレーザビームが移動する際の、レーザパワー強度の変調のタイミングを図２の（ａ）に、記録層の温度プロファイルを図２の（ｂ）に、情報マークの形状（媒体の上方視）を図２の（ｃ）に、再生信号を図２の（ｄ）に示す。なお、円周方向における格子点の周期は０．８ｕｍであり、トラックピッチは０．４５ｕｍである。格子点は円形であり、その直径は０．２５ｕｍとする。図２の（ａ）に示すように、ビームが図示のビーム移動方向に移動する過程において、格子点の周期の１／２のタイミングでパワーレベルを７段階で変えると、図２の（ｂ）に示すように、パワーレベルが高ければアモルファス化温度以上になる範囲が拡がり、低ければ狭くなる。図２の（ｂ）中、実線はトラックＡ、破線はトラックＢ中心の温度プロファイルである。このような温度プロファイルを形成できることから、図２の（ｃ）に示すように、マーク１０４３の中心は常に格子点１０２１の中心に一致する。この結果、格子点の位置精度と同程度にマークの記録位置を制御できる。記録マークの配列が一定となることから、ＲＯＭで採用されているＲＰＲ方式（Radial direction Partial Response）もしくはＰＲＭＬ(Partial Response Maximum Likelihood)方式を使うことができる。本発明の方法の場合は、マーク面積を変えることにより反射強度を変える。よって、再生のタイミングは、図２の（ｄ）に示すように、信号が最大になる位置、つまりマークの中心である。和信号（ＲＦ信号）の変化を示している。図示のようにマーク無からマーク径０．６ｕｍまでの８レベルの信号強度（Ａ０〜Ａ８，Ｂ０〜Ｂ８）検出できる。隣接する２トラック間のマーク配列が定まっていることから、図示のタイミングで信号を検出することによって、２列の信号を分離し再生することができる。従って、本発明による光記録再生装置によれば、レーザビームを２トラック同時に照射して情報マークを記録、再生できる。
【００２８】
また、記録時のレーザパワーレベルは、記録情報に応じて変える。レーザパワーを変える周期は、格子点のトラック方向における周期の１／２とする。以上の光記録再生装置により、上記した相変化型記録媒体に対して、２トラック同時に記録、再生することができる。
【００２９】
ここで、本発明による記録媒体をＤＶＤ（４．７ＧＢ／φ１２０ｍｍ）と比較する。図２の（ｃ）に示す記録媒体のトラック方向における格子点の周期は０．８ｕｍである。この周期で反射光強度に８段階の階調をつけることができる。従って、０．８ｕｍ周期で３Ｂitのデータが記録でき、トラック方向のビット長は０．８ｕｍ/３Ｂｉｔ=０．２６７ｕｍ/Ｂｉｔとなる。このビット長は、８−１６変調で記録するＤＶＤとほぼ同じである。トラックピッチは本媒体で０．４５ｕｍ、ＤＶＤが０．７４ｕｍである。従って、本媒体の面密度はＤＶＤの約１．６倍となる。ＤＶＤと同じ線速度で記録・再生した場合、本媒体のデータ転送速度はＤＶＤの３．２倍＝１．６（容量寄与）×２（２トラック同時記録・再生）となる。
【００３０】
図３は別の発明の第１の実施例に係る相変化型記録媒体の製造方法の工程を示す図である。図３の（ａ）〜（ｂ）は石英原盤の製造工程である。先ず、図３の（ａ）に示すように、石英基板３０１１上に格子点に対応するレジストパターン３０１２を形成する。レジストの底部径３０１３は直径０．５ｕｍであり、パターンの周期は図１に示す格子点の周期と同じである。そして、図３の（ｂ）に示すようにウェットエッチングにより石英基板３０１１に窪みを設ける。なお、エッチング溶液にはバッファードフッ酸（ＢＨＦ）を用いる。ＢＨＦによるエッチングの場合、レジストと石英の選択比が非常に大きく、レジストは殆どエッチングされない。その結果、図３の（ｂ）に示すような形状が形成できる。次に、図３の（ｃ）に示すように、パターニング後にレジストパターン３０１２を除去する。レジスト除去はアセトン超音波による。以上の手順で石英原盤が完成する。格子点となる幅３０３１の直径は０．２５ｕｍである。射出成形によるレプリケーションは従来の方法と同様である。次に、図３の（ｄ）に示すように、成形したポリカーボネート基板３０４１に金属層３０５１を成膜する。金属層３０５１には膜厚５０ｎｍのＴｅを用いる。そして、図３の（ｅ）に示すように、基板側からレーザビーム３０６１を照射し、格子点上のＴｅを除去して開口３０６２を形成する。この開口形成プロセスは、相変化型記媒体の結晶化に用いられるいわゆる”初期化装置”を用いる。格子点形成後に、図３の（ｇ）に示すように、誘電体層３０８１としてＺｎＳ−ＳｉＯ２  ２０ｎｍを成膜する。相変化型記録層３０８２としてＡｇＩｎＳｂＴｅ  ２０ｎｍを成膜する。記録層の組成は、Ａｇ４Ａｔ％−Ｉｎ  ７Ａｔ％−Ｓｂ  ６１Ａｔ％−Ｔｅ  ２８Ａｔ％である。誘電体層３０８３としてＺｎＳ−ＳｉＯ２  ７０ｎｍを成膜する。最後に、張り合わせ基板３０９１として、厚み０．６ｍｍのポリカーボネート基板を張り合わせる。記録・再生は張り合わせ基板側からレーザビーム３１０１を照射し行う。以上の製造方法により格子点が一定周期で存在し、格子点には金属層が存在しない相変化型記録媒体が形成できる。
【００３１】
図４は別の発明の第２の実施例に係る相変化型記録媒体の製造方法の工程を示す図である。図４の（ａ）に示すように、石英原盤、ポリカーボネートへの転写は第１の実施例と同じである。図４の（ｂ）に示すように、金属層４０５１として膜厚１２０ｎｍのＡｇ薄膜をポリカーボネート基板４０４１上に成膜する。その後、第１の実施例と同様に“初期化装置”を用いて格子点を形成する。図４の（ｃ）に示すように、ポリカーボネートを通してレーザビーム４０６１を照射する。レーザビームの照射は酸素雰囲気４０６３で行う。また、凸部４０６２ではレーザビームが集光し他の部分よりも高温になる。高温部分では、Ａｇが酸化しＡｇＯｘ４０６２となる。ＡｇＯｘ４０６２はＡｇよりも高抵抗であることから、第１の実施例で金属層を除去した場合と同様の効果が得られる。格子点形成後に誘電体層４０８１としてＺｎＳ−ＳｉＯ２  ２０ｎｍを成膜する。相変化型記録層４０８２としてＧｅＧａＳｂＴｅ  ２０ｎｍを成膜する。この記録層４０８２の組成は、Ｇｅ  ３Ａｔ％−Ｇａ  ７Ａｔ％−Ｓｂ  ６５Ａｔ％−Ｔｅ  ２５Ａｔ％である。誘電体層４０８３としてＺｎＳ−ＳｉＯ２  ７０ｎｍを成膜する。最後に、張り合わせ基板４０９１として、厚み０．６ｍｍのポリカーボネート基板を張り合わせる。記録・再生は張り合わせ基板側からレーザビーム４１０１を照射し行う。
【００３２】
図５は別の発明の第３の実施例に係る相変化型記録媒体の製造方法の工程を示す図である。図５の（ａ）に示すように、ポリカーボネート基板５０４１にホールパターン５０４２を転写する。なお、ホール径は０．５ｕｍであり、深さは１．５ｕｍ、側壁の傾斜角は７０〜８０°の範囲とする。金属層５０５１としてＡｌＴｉ薄膜を用いる。膜厚２００ｎｍのＡｌＴｉを成膜する。成膜にはＲＦスパッタ装置を用い、ターゲット−基板間距離は１ｃｍとし、成膜雰囲気はＡｒ  ５ｍＴｏｒｒとする。通常の光ディスクの製造に用いるスパッタ装置と比較して、ターゲット−基板間距離が短く、成膜雰囲気は低真空度である。このような装置で成膜した場合、スパッタ粒子（ＡｌＴｉ粒子）の平均自由行程が短くなり、ホール底部に到達しない。その結果、ホール周辺部分は図５の（ｂ）に示すような断面形状となる。ホール径が０．５ｕｍであり、Ａｇ膜厚が０．２ｕｍであると、直径約１００ｎｍの微小開口が残る。この上に誘電体層５０６１としてＺｎＳ−ＳｉＯ２を膜厚５０ｎｍで成膜する。次に、相変化型記録層５０６２として、ＧｅＳｂＴｅを膜厚２０ｎｍで成膜する。記録層５０６２の組成は、Ｇｅ  ３Ａｔ％−Ｓｂ  ７２Ａｔ％−Ｔｅ  ２５Ａｔ％である。最後に、誘電体層５０６３として、ＺｎＳ−ＳｉＯ２を膜厚５０ｎｍで成膜する。Ａｇ成膜後にホール部分に残った開口は誘電体層５０６１のＺｎＳ−ＳｉＯ２でふさがれ、相変化型記録層５０６２のＧｅＳｂＴｅ薄膜は図示のような橋渡し状態となる。格子点にＡｌＴｉ薄膜が存在しない状態が形成できる。最後に、張り合わせ基板５０７１として、厚み０．６ｍｍのポリカーボネート基板を張り合わせる。記録・再生は張り合わせ基板側からレーザビーム５０８１を照射し行う。
【００３３】
次に、別の発明の光記録再生装置について説明する。はじめに、図６を用いて本発明の光記録再生装置の動作原理について説明する。図６の（ａ）は相変化型記録媒体の上方視図である。図６の（ｂ）は、ビームスポットが通過した際の検出光強度を示す特性図である。
【００３４】
本発明の光記録再生装置は、図６の（ａ）に示すように，トラック１とトラック２の２本のトラックにまたがるようにビームを照射するように，トラッキング調整を行う。記録時は、各トラック上の格子点の上に、規則正しくマークが形成される。再生時は、２本のトラックを同時に読み込む。図６の（ａ）中のビームスポットは、格子点１、格子点２、格子点３上のマークを同時に照射している。図６の（ｂ）の特性図はビームスポットを円周方向に掃引したときの検出信号波形を示している。各格子点１，２，３からの検出信号が位置的にｘ１，ｘ２，ｘ３とずれて検出される。各格子点１，２，３からの検出信号におけるピークの値をそれぞれＰ１，Ｐ２，Ｐ３とする。スポットの中心が格子点２の上に一致したとき、グラフ上ではｘ２の位置であるが、ビームスポットが格子点をまたがって照射されているため、この点での検出信号は格子点２からの検出信号のピークＰ２のみではなく、隣接する格子点１，２からの信号Ｐ１／２，Ｐ３／２が混入した値となる。このため、再生の際には、ビームスポット中心に位置するマーク情報と同時に、隣接するトラックの前後のマーク情報も同時に読み出されることになる。よって、ビームスポット縁によって読み出されたマーク情報がビームスポット中心によって読み出されたマーク情報に干渉し、この干渉を積極的に活用して記録情報の再生を行うことができるようになる。更に、ビームスポット中心に位置するマーク再生信号の相対強度を１として、ビームスポット縁による隣接トラックのマーク再生信号の相対強度を２分の１に調整すると、ＰＲ(１,２,１)のパーシャルレスポンス方式の検出を行うことができる。
【００３５】
図７は別の発明の第１の実施例に係る光記録再生装置の構成を示すブロック図である。記録データ生成部７０１は、コントローラ７０２から送られてきた書き込み用のデータにパーシャルレスポンス方式によるプリコードを施すことにより、実際に光ディスク７０３に書き込む記録データを生成する。このプリコードは、書き込み用のデータに次の（１）式の演算を施すものである。
【００３６】
（１／Ｇ（Ｄ））  ｍｏｄ  ２            …（１）
Ｄ：遅延演算子
Ｇ：ＰＲ伝送路の伝達関数
ｍｏｄ  ２：２の剰余
【００３７】
本実施例の光記録再生装置では、ＰＲ(１,２,１)のパーシャルレスポンス方式の検出を行うので、ＰＲ伝送路の伝達関数Ｇ（Ｄ）は下記の（２）式のようになる。
【００３８】
Ｇ（Ｄ）＝１＋２Ｄ＋Ｄ２                …（２）
【００３９】
従って、実際のプリコードは下記の（３）式の演算を書き込み用のデータに施すこととなる。
【００４０】
(１／（１＋２Ｄ＋Ｄ２）)  ｍｏｄ  ２    …（３）
【００４１】
（３）式の演算は、光ピックアップ７０４がビームスポットの中心と縁によって、当該マークのデータとこれより１ビットだけ前後に記録されたデータを２対１の割合で読み出したときの符号間干渉の相関特性Ｇ（Ｄ）の逆特性１／Ｇ（Ｄ）を付加した後、この結果について２（ビットデータの基数）の剰余を演算することを表す。また、ビームスポットの中心と縁の光強度の比を３分の１にした場合には、ＰＲ(１,３,１)のパーシャルレスポンス方式による検出を行うために、伝達関数Ｇ（Ｄ）は下記の（４）式のようになる。
【００４２】
Ｇ（Ｄ）＝１+３Ｄ＋Ｄ２                …（４）
【００４３】
光ディスク７０３の記録層に孤立マークが記録されている場合、信号検出用の光検出器が出力する信号は、マークよりスポットが大きいので読み出し波形の両側にそれぞれ隣接するマークの読み出し波形が付加されることになる。従って、この光ピックアップ７０４が出力する信号は、隣接マークから符号間干渉を受けることになり、この符号間干渉により、上記のようなパーシャルレスポンス方式の検出が可能となる。
【００４４】
図７に示すように、光ピックアップ７０４の出力信号は、等化回路７０５とクロック抽出部７０６に送られる。ここで、図８に等価回路７０５の構成を示す。等化回路７０５は、図８に示すように、遅延素子Ｔと重み係数乗算器と加算器とで構成されたトランスバーサルフィルタであり、各重み係数乗算器の利得を変化させることによりタップ係数を調整することができる。クロック抽出部７０６は、光検出器が出力する信号からＰＬＬ（Phase Locked Loop）を用いてサンプリングクロック信号を抽出する回路である。そして、等化回路７０５から出力される信号はＡ／Ｄコンバータ７０７に送られる。Ａ／Ｄコンバータ７０７は、等化回路７０５から出力されたアナログ信号をデジタルデータに変換する回路であり、クロック抽出部７０６が抽出したサンプリングクロック信号に基づいてサンプリングを行う。各サンプリング値は、パーシャルレスポンス方式の検出を行うために、ＰＲ方式に応じた多値に量子化されてデジタルデータとなる。Ａ／Ｄコンバータ７０７から出力されるデジタルデータは、デコーダ７０８に送られる。デコーダ７０８は、多値のデジタルデータにそれぞれ２の剰余の演算を行う回路であり、これによって元の書き込み用のデータが検出される。そして、このデコーダ７０８が検出したデータは、コントローラ７０２に送られる。コントローラ７０２は、上記のようなデータの入出力の他に、メディアを回転させるスピンドルモータ７０９の回転制御や光ピックアップ７０４のサーボ制御等を行う。
【００４５】
なお、上記実施例は相変化型の光記録方式を主に示したが、その他の書き換え可能型もしくは追記型の光ディスクまたは読み出し専用型の光ディスクについても同様に実施することができる。書き換え可能型や追記型の光ディスク記録再生置では、相変化型と同様に半導体レーザのレーザ光強度を制御することにより同様の形式の記録が可能となる。更に、読み出し専用型の光ディスクの場合には、ピット等を形成するための原盤の作成時に同様の形式の記録を行うことになる。また、上記実施例はいずれも相変化型の光ディスクについて示したが、光変調型もしくは磁界変調型の光磁気記録再生装置についても同様に実施することができる。光変調型の光磁気記録再生装置では、相変化型の光ディスク記録方式の場合と同様に、書き込み用半導体レーザのレーザ光強度を制御することにより同様の形式の記録が可能となる。磁界変調型の場合には、半導体レーザが強い光を垂直磁化膜に照射している間、電磁石の磁界を制御することにより同様の形式の記録を行うことができる。
【００４６】
図９は別の発明の第２の実施例に係る光記録再生装置の構成を示すブロック図である。以下に本実施例の光記録再生装置の記録再生動作について図９を用いて説明する。ここでは、例えば図１０に示すような入力データ系列｛ａｍ｝を書き込む場合について説明する。この入力データ系列｛ａｍ｝は、通常は予め適当な変調が施されたものである。
【００４７】
先ず、コントローラ９０１からこの入力データ系列｛ａｍ｝が記録データ生成部９０２に送られ、上記（１）式の演算によってプリコードされて記録データ系列｛ｂｍ｝に変換される。（１）式の演算は、ビームの広がりによる符号間干渉の相関特性Ｇ（Ｄ）の逆特性を付加し、２の剰余をとるものであるから、入力データａｍを変換するには、既に変換済みの記録データｂｍ−２、ｂｍ−１を用いて次の５式を満足するようなｂｍを求める演算を行うことになる。
【００４８】
ｂｍ＝(ａｍ−２ｂｍ−１−ｂｍ−２)ｍｏｄ  ２    …（５）
【００４９】
例えば図１０の入力データａ７を変換する場合、このａ７の値は０であるから、記録データｂ５、ｂ６の１、１の値を当てはめた（０−２*１−１）の２の剰余の演算を行えばよい。従って記録データｂ７は１となる。
【００５０】
このようにプリコードを施された記録データ系列｛ｂｍ｝は、クロック発生部９０３からのクロック信号に従って書き込み用ＬＤドライバに送られ、光ピックアップ９０４における光スポットの広がりを含んだ形で光ディスク９０５の記録層に記録される。記録層は相変化材料であり、光照射による熱で記録層の相状態を変化させ、アモルファスと結晶状態を作ることができる。データ書き込み時は、ＬＤ光のメインスポットの中心部の最も温度が上昇する部分のみを使って書き込むため、ビームスポットに広がりが存在しても書き込みには寄与しない。従って、書き込み時と読み出し時で、同一のヘッドで光パワーを変えることによって切り替えができるので、書き込み用と読み出し用の二つのヘッドを用意する必要がない。
【００５１】
光ディスク９０５の記録層に記録された記録データ系列｛ｂｍ｝は、光ピックアップ９０４によって読み出され、等化回路９０６で波形を等化された後、Ａ／Ｄコンバータ９０８によってデジタルデータの再生データ系列｛ｘｍ｝に変換される。この再生データ系列｛ｘｍ｝は、スポットの広がりによる隣接ビットの再生信号が２分の１ずつの割り合いで付加されたものであるため記録データ系列｛ｂｍ｝に下記の（６）式の演算を施したものとなる。
【００５２】
【数１】
0004362242.tif 000002
【００５３】
具体的にはＰＲ(１，２，１)、すなわちＮ＝３，(ｇ０，ｇ１，ｇ２)＝(１，２，１)なので、
【００５４】
ｘｍ＝ｂｍ−４＋２ｂｍ−２+ｂｍ            …（７）
【００５５】
例えば図１０の再生データｘ７は、記録データｂ５、ｂ６、ｂ７がそれぞれ１、１、１であることから、４（＝１＋２*１＋１）の値となる。すなわち、ここでは、再生データ系列｛ｘｍ｝が０〜４の値を持つ５の値のデジタルデータとなる。
【００５６】
５の値のデジタルデータとして読み出された再生データ系列｛ｘｍ｝は、デコーダ９０９に送られる。この再生データ系列｛ｘｍ｝は２の剰余をとられ、２進の出力データ系列｛ｄｍ｝に変換される。従って、出力データｄ７は４ｍｏｄ２＝０となる。記録データ系列｛ｂｍ｝は入力データ系列｛ａｍ｝に相関特性Ｇ（Ｄ）の逆特性を付加してから２の剰余をとったものであるため、この相関特性を相殺された再生データ系列｛ｘｍ｝の２の剰余をとった出力データ系列｛ｄｍ｝は、元の入力データ系列｛ａｍ｝に一致する。そして、この出力データ系列｛ｄｍ｝がコントローラ９０１に送られる。この結果、本実施例の光記録再生装置は、ビームスポットの大きさよりも小さいマークのデータを読み出した際に生じる隣接トラックのマークの読み出し信号の干渉を積極的に活用して元のデータの検出に利用することができる。これにより、従来の光ピックアップをそのまま用いて、ビームスポットより小さいマークを記録層に書くことができると共に２トラック同時に記録、再生ができ、超高密度な光記録再生装置が実現可能となる。
【００５７】
次に、ＰＲＭＬ方式の再生信号処理系において、等化器の後に配置される検出器には、最尤復号器の代表的な一つであるビタビ復号器が一般に用いられる。等化器で再生波形がＰＲ特性に等化されたとすると、ビタビ復号器はＰＲ特性を満たす全ての系列の中から等化波形のサンプル系列との誤差が最も小さい系列を選択し、選択された系列に対応する２値データ（復号データ）を出力する。ＰＲＭＬ方式では、復号を１つのサンプル値から行うのではなく、複数のサンプル値から行うため、サンプル値間で相関を持たない信号劣化成分に対する耐性が強い。
【００５８】
以下に本発明に係るビタビ復号器による最尤復号法を示す。
図１１は別の発明の第３の実施例に係る光記録再生装置の構成を示すブロック図である。図１２は図１１のビタビ復号器の構成を示すブロック図である。図１１において、図９と同じ参照符号は同じ構成要素を示す。異なる構成要素として、本実施例の光記録再生装置は、図９の第２の実施例の光記録再生装置におけるデコーダ９０９に代えてビタビ復号器１１０１を設けたものである。本実施例ではＰＲ(１，２，１)のパーシャルレスポンス方式の検出を行うので、ビダビ復号器１１０１における復号方式はＰＲ(１，２，１)であり、ビタビ復号器１１０１は、このＰＲ(１，２，１)に対応したビタビ復号（最尤復号）を行うものを使用する。ここで、図１０に示した再生データ系列｛ｘｍ｝について考える。この再生データ系列｛ｘｍ｝は、３，３，２，２，１，１，３，４，３…の５値データの並びからなり、各サンプル値は０から４までの値を取り得る。しかし、各サンプル値は、前に読み出したサンプル値との間にＰＲ(１,２,１)の相関関係を有するので、あるサンプル値が定まると、次のサンプル値は０〜４の値全てに遷移することはできない。その様子を図１３のＰＲ(１，２，１)（ＰＲ２）の状態遷移図を用いて説明する。図１３の８個の楕円は状態数８のデータ状態を示し、楕円内部の３桁の数値は記録データ系列｛ｂｍ｝の３ビット分を表す。矢印は、ある状態から次の状態へ遷移するパスを表しており、矢印のない状態へは遷移することができない。また、矢印の脇に示した０から４までの数値は、検出したサンプル値ｘｍを示す。例えば、検出したサンプル値Ｘ０が３の場合には、記録データ系列｛ｂｍ｝のパターンは(０，１，１)または(１，１，０)のいずれかの場合である。従って、次のサンプル値に対応する記録データ系列｛ｂｍ｝のパターンは(１，１，０)、(１，１，１)、(１，０，０)または(１，０，１)のいずれかとなり、次のサンプル値は０に遷移することはできない。その次のサンプル値Ｘ１は３であり、サンプル値３から３への遷移はデータ状態が(０,１,１)から(１,１,０)しかあり得ないので、記録データＢ１は０と一義的に定まる。次のＸ２は２であり、次のデータ状態は(１，０，１)ということになり、ｂ２は１であることになる。このような復号を順次行っていくことにより、復号結果は１，０，１，０，０，１，１，１，０…となり、記録データ系列｛ｂｍ｝と一致していることがわかる。従って、このような再生データ系列｛ｘｍ｝は、ビタビ復号方式による検出が可能である。
【００５９】
図１１のビタビ復号器１１０１は、図１２に示すように、トレリス遷移図の各状態毎の演算を行う加算比較選択部（以下ＡＣＳ部と称す）１１０１−１と、このＡＣＳ部１１０１−１が選択したパス（経路）をそれぞれ記憶するパスメモリ回路１１０１−２と、このパスメモリ回路１１０１−２が記憶したパスから１つのパスを選択する最尤パス選択回路（以下ＭＬＤ回路と称す）１１０１−３とを含んで構成されている。ただし、ここでは４個のＡＣＳ部１１０１−１を用いて４状態のトレリス遷移図を辿る場合について説明する。また、ＡＣＳ部１１０１−１が演算する状態からは、自身の状態またはＡＣＳ部の状態にのみ遷移可能であり、ＡＣＳ部の状態からは自身の状態またはある特定のＡＣＳ部の状態にのみ遷移可能であるものとする。
【００６０】
ビタビ復号方式により復号を行う場合、Ａ／Ｄコンバータは、データを５値に限らずさらに細かく量子化するのが普通である。Ａ／Ｄコンバータから出力される量子化データは５値データとなるのが理想的であるが、波形の歪み及びノイズ等の影響により幅をもつ値となる。量子化データは、各ＡＣＳ部１１０１−１のブランチメトリック計算回路１１０１−１１に入力される。各ブランチメトリック計算回路１１０１−１１では、入力された量子化データと自身の状態が示す値との差から状態遷移に対する確からしさ（ブランチメトリック）が計算される。このブランチメトリックは、加算部によって過去の状態遷移経路の確からしさ（パスメトリック）に加算される。パスメトリックは、パスの過去の各状態でのブランチメトリックを積算したものであり、実際に読み出した量子化データの並びに近いパスほど小さな値となる。ここで加算されるパスメトリックは、そのＡＣＳ部に遷移可能なＡＣＳ部のパスメトリックメモリが記憶していた前回までのパスメトリックである。
【００６１】
このようにして１つの量子化データがビタビ復号器１１０１に入力されると、各ＡＣＳ部１１０１−１には２方向からのパスが遷移してくることになるので、これら加算部が計算した今回の２つのパスメトリックを比較部が比較し、比較結果に応じて選択部がより値の小さい方（より確からしい方）のパスメトリックをパスメトリックメモリに記憶させる。また、パス選択部がより値の小さいパスメトリックのパス、すなわち、最も確からしいパスを選択し、このパスを示す量子化データをパスメモリに記憶させる。従って、状態が遷移してきた経路がパスメモリに記憶される。
【００６２】
特定数の量子化データが入力されると、最尤パス選択部により、パスメモリに記憶された４本のパスから最もパスメトリックの小さいパス（最尤パス）が選択される。最尤パスが選択されることにより状態遷移の経路が確定し、その状態遷移を引き起こすようなビットデータ列が復号データ列として出力される。従って、ノイズ等の影響で再生データ系列｛ｘｍ｝に誤りが含まれていても、最も確からしいデータ列に復号できる。上記のようにしてビタビ復号器で復号されたデータは、出力データ系列｛ｄｍ｝となりコントローラに送られる。
【００６３】
この結果、本実施例の光記録再生装置によれば、光ディスクに記録されたデータをＰＲＭＬ方式、すなわちパーシャルレスポンス方式と最尤復号方式（ビタビ復号方式）を組み合わせた方式により再生することができるので、誤り訂正によってＳ／Ｎを向上させることができるようになる。
【００６４】
本実施例の光記録再生装置では、図６の（ａ）に示すように、トラック１とトラック２の２本のトラックにまたがるようにビームを照射するように、トラッキング調整を行う。記録時は、書き込みパルスのパワーレベルをr段階に切り替え、r値の多値記録を行う。各トラック上の格子点の上に、規則正しくマークが形成される。再生時は、２本のトラックを同時に読み込む。図６の（ａ）中のビームスポットは、格子点１、格子点２、格子点３上のマークを同時に照射している。図６の（ｂ）のグラフはビームスポットを円周方向に掃引したときの検出信号波形を示した図である。各格子点１，２，３からの検出信号が位置的にx１，x２，x３とずれて検出される。各格子点１，２，３からの検出信号におけるピークの値をそれぞれＰ１，Ｐ２，Ｐ３とする。スポットの中心が格子点２の上に一致したとき、グラフ上ではx２の位置であるが、ビームスポットが格子点をまたがって照射されているため、この点での検出信号は格子点２からの検出信号のピークＰ２のみではなく、隣接する格子点１，２からの信号Ｐ１／２，Ｐ３／２が混入した値となる。このため、再生の際には、ビームスポット中心に位置するマーク情報と同時に、隣接するトラックの前後のマーク情報も同時に読み出されることになる。よって、ビームスポット縁によって読み出されたマーク情報がビームスポット中心によって読み出されたマーク情報に干渉し、この干渉を積極的に活用して記録情報の再生を行うことができるようになる。更に、ビームスポット中心に位置するマーク再生信号の相対強度を１として、ビームスポット縁による隣接トラックのマーク再生信号の相対強度を２分の１に調整すると、ＰＲ(ｒ，２ｒ，ｒ)のパーシャルレスポンス方式の検出を行うことができる。
【００６５】
図７において、記録データ生成部７０１は、コントローラから送られてきた書き込み用のデータにパーシャルレスポンス方式によるプリコードを施すことにより、実際に光ディスク７０３に書き込む記録データを生成する。このプリコードは、書き込み用のデータに下記の（８）式の演算を施すものである。
【００６６】
（１／Ｇ（Ｄ））ｍｏｄ  ｒ            …（８）
Ｄ：遅延演算子
Ｇ：ＰＲ伝送路の伝達関数
ｍｏｄ  ｒ：rの剰余
【００６７】
本実施例の光記録再生装置では、ＰＲ(ｒ，２ｒ，ｒ)のパーシャルレスポンス方式の検出を行うので、ＰＲ伝送路の伝達関数Ｇ（Ｄ）は下記の（９）式のようになる。
【００６８】
Ｇ（Ｄ）＝１＋２Ｄ＋Ｄ２              …（９）
【００６９】
従って、実際のプリコードは下記の（１０）式の演算を書き込み用のデータに施すこととなる。
【００７０】
(１／(１＋２Ｄ＋Ｄ２))ｍｏｄ  ｒ      …（１０）
【００７１】
（１０）式の演算は、光ピックアップがビームスポットの中心と縁によって、当該マークのデータとこれより１ビットだけ前後に記録されたデータを２対１の割合で読み出したときの符号間干渉の相関特性Ｇ（Ｄ）の逆特性１／Ｇ（Ｄ）を付加した後、この結果についてr（ビットデータの基数）の剰余を演算することを表す。また、ビームスポットの中心と縁の光強度の比を３分の１にした場合には、ＰＲ（ｒ，３ｒ，ｒ）のパーシャルレスポンス方式による検出を行うために、伝達関数Ｇ（Ｄ）は下記の（１１）式のようになる。
【００７２】
Ｇ（Ｄ）＝１＋３Ｄ＋Ｄ２              …（１１）
【００７３】
光ディスクの記録層に孤立マークが記録されている場合、信号検出用の光検出器が出力する信号は、マークよりスポットが大きいので読み出し波形の両側にそれぞれ隣接するマークの読み出し波形が付加されることになる。従って、この光ピックアップが出力する信号は、隣接マークから符号間干渉を受けることになり、この符号間干渉により、上記のようなパーシャルレスポンス方式の検出が可能となる。
【００７４】
図７に示すように、光ピックアップの出力信号は、等化回路７０５とクロック抽出部７０６に送られる。等化回路７０５は図８に示すように、遅延素子Ｔと重み係数乗算器と加算器とで構成されたトランスバーサルフィルタであり、各重み係数乗算器の利得を変化させることによりタップ係数を調整することができる。クロック抽出部７０６は、光検出器が出力する信号からＰＬＬ（Phase Locked Loop）を用いてサンプリングクロック信号を抽出する回路である。そして、等化回路７０５から出力される信号はＡ／Ｄコンバータ７０７に送られる。Ａ／Ｄコンバータ７０７は、等化回路７０５から出力されたアナログ信号をデジタルデータに変換する回路であり、クロック抽出部７０６が抽出したサンプリングクロック信号に基づいてサンプリングを行う。各サンプリング値は、パーシャルレスポンス方式の検出を行うために、ＰＲ方式に応じた多値に量子化されてデジタルデータとなる。
【００７５】
Ａ／Ｄコンバータ７０７から出力されるデジタルデータは、デコーダ７０８に送られる。デコーダ７０８は、多値のデジタルデータにそれぞれｒの剰余の演算を行う回路であり、これによって元の書き込み用のデータが検出される。そして、このデコーダが検出したデータは、コントローラ７０２に送られる。コントローラ７０２は、上記のようなデータの入出力の他に、メディアを回転させるスピンドルモータの回転制御や光ピックアップのサーボ制御等を行う。
【００７６】
また、光ディスク記録再生装置の記録再生動作を図９を用いて説明する。例えば、図１０に示すような入力データ系列｛ａｍ｝を書き込む場合について説明する。この入力データ系列｛ａｍ｝は、通常は予め適当な変調が施されたものである。
【００７７】
まずコントローラからこの入力データ系列｛ａｍ｝が記録データ生成部に送られ、上記（８）式の演算によってプリコードされて記録データ系列｛ｂｍ｝に変換される。上記（８）式の演算は、スポットの広がりによる符号間干渉の相関特性Ｇ（Ｄ）の逆特性を付加しrの剰余をとるものであるから、入力データａｍを変換するには、既に変換済みの記録データｂｍ−２、ｂｍ−１を用いて次の（１２）式を満足するようなｂｍを求める演算を行うことになる。
【００７８】
【数２】
0004362242.tif 000003
【００７９】
ｇｎ：各タップの重み係数
Ｎ：データ長
【００８０】
このようにプリコードを施された記録データ系列｛ｂｍ｝は、クロック発生部からのクロック信号に従って書き込み用ＬＤドライバに送られ、光ピックアップにおける光スポットの広がりを含んだ形で光ディスクの記録層に記録される。
【００８１】
記録層は相変化材料であり、光照射による熱で記録層の相状態を変化させ、アモルファスと結晶状態を作ることができる。データ書き込み時は、ＬＤ光のメインスポットの中心部の最も温度が上昇する部分のみを使って書き込むため、ビームスポットに広がりが存在しても書き込みには寄与しない。従って、書き込み時と読み出し時で、同一のヘッドで光パワーを変えることによって切り替えができるので、書き込み用と読み出し用の二つのヘッドを用意する必要がない。
光ディスクの記録層に記録された記録データ系列｛ｂｍ｝は、光ピックアップによって読み出され、等化回路で波形を等化された後、Ａ／Ｄコンバータによってデジタルデータの再生データ系列｛ｘｍ｝に変換される。この再生データ系列｛ｘｍ｝は、スポットの広がりによる隣接ビットの再生信号が２分の１の割合で付加されたものであるため、記録データ系列｛ｂｍ｝に下記の（１３）式の演算を施したものとなる。
【００８２】
【数３】
0004362242.tif 000004
【００８３】
多値のデジタルデータとして読み出された再生データ系列｛ｘｍ｝は、デコーダに送られる。この再生データ系列｛ｘｍ｝はｒの剰余をとられ、ｒ進の出力データ系列｛ｄｍ｝に変換される。記録データ系列｛ｂｍ｝は入力データ系列｛ａｍ｝に相関特性Ｇ（Ｄ）の逆特性を付加してからrの剰余をとったものであるため、この相関特性を相殺された再生データ系列｛ｘｍ｝のrの剰余をとった出力データ系列｛ｄｍ｝は、元の入力データ系列｛ａｍ｝に一致する。そしてこの出力データ系列｛ｄｍ｝がコントローラに送られる。
【００８４】
この結果、本実施例の光ディスク記録再生装置は、ビームスポットの大きさよりも小さいマークのデータを読み出した際に生じる隣接トラックのマークの読み出し信号の干渉を積極的に活用して元のデータの検出に利用することができる。これにより、従来の光ピックアップをそのまま用いて、ビームスポットより小さいマークを記録層に書くことができると共に２トラック同時に記録、再生ができ、超高密度な光記録再生装置が実現可能となる。
【００８５】
なお、本発明は上記実施例に限定されるものではなく、特許請求の範囲内の記載であれば多種の変形や置換可能であることは言うまでもない。
【００８６】
【発明の効果】
以上説明したように、少なくとも、支持基板、金属層、相変化記録層がこの順に積層されている、本発明の相変化型記録媒体によれば、情報マークは相変化記録層の、金属層に周期的に存在する格子点と隣接する位置に記録され、格子点の配列は隣接するトラック間においてトラック方向にずらして配置されており、格子点の大きさは記録・再生に用いるレーザビームの１/e^２で定義される径よりも小さく、格子点は金属層の放熱機能を小さくした部分であることに特徴がある。よって、相変化記録において２トラック毎に情報を記録、再生できる。
【００８９】
また、格子点は金属層に穴を開けた部分であることが好ましい。
【００９０】
更に、格子点には金属層を構成する少なくとも１種類の元素の酸化物もしくは窒化物もしくはフッ化物もしくは硫化物が存在することが好ましい。
【００９１】
また、格子点において金属層の厚みが格子点以外の部分より薄いことが好ましい。
【００９２】
更に、金属層はＡｌ，Ｔｉ，Ｃｕ，Ｚｎ，Ｇｅ，Ｐｄ，Ａｇ，Ｉｎ，Ｓｎ，Ｓｂ，Ｔｅ，Ｐｔ，Ａｕ，Ｔｌ，Ｂｉの群から選ばれる少なくとも１種類の元素を含有することが好ましい。
【００９３】
また、相変化記録層の組成は、ＳｂＴｅを母層として用い、Ｓｂ／Ｔｅ比は１．５から４の範囲とし、Ｇｅ，Ｉｎ，Ｇａ，Ａｇ，Ｓｉ，Ａｌ，Ｂの群から選ばれる少なくとも１つの元素を含有したことが好ましい。
【００９５】
また、別の発明としての光記録再生装置は、上記の相変化型記録媒体に対して２トラック同時に照射範囲内に含むようにレーザビームを照射し、情報マークを記録・再生することに特徴がある。よって、２トラック毎に情報を記録・再生できる光記録再生装置を提供できる。
【図面の簡単な説明】
【図１】本発明の一実施例に係る相変化型記録媒体の構成を示す図である。
【図２】図１の相変化型記録媒体に対する記録・再生の様子を示す図である。
【図３】別の発明の第１の実施例に係る相変化型記録媒体の製造方法の工程を示す図である。
【図４】別の発明の第２の実施例に係る相変化型記録媒体の製造方法の工程を示す図である。
【図５】別の発明の第３の実施例に係る相変化型記録媒体の製造方法の工程を示す図である。
【図６】別の発明の光記録再生装置の動作原理を説明する図である。
【図７】別の発明の第１の実施例に係る光記録再生装置の構成を示すブロック図である。
【図８】図７の等価回路の構成を示す図である。
【図９】別の発明の第２の実施例に係る光記録再生装置の構成を示すブロック図である。
【図１０】入力データ系列及び再生データ系列を示す図である。
【図１１】別の発明の第３の実施例に係る光記録再生装置の構成を示すブロック図である。
【図１２】図１１のビダビ復号器の構成を示すブロック図である。
【図１３】ＰＲ(１,２,１)（ＰＲ２）の状態遷移図である。
【符号の説明】
１０１；支持基板、１０２；金属層、
１０３，１０５；誘電体層もしくは保護層、
１０４；記録層、１０６；張り合わせ基板、１０７；レーザビーム、
１０８；データ領域、１０９；制御領域、
１０２１；格子点、１０２２；トラキング信号発生源、
１０４１、１０４２；格子点。
【図１】
0004362242.tif 000005
【図２】
0004362242.tif 000006
【図３】
0004362242.tif 000007
【図４】
0004362242.tif 000008
【図５】
0004362242.tif 000009
【図６】
0004362242.tif 000010
【図７】
0004362242.tif 000011
【図８】
0004362242.tif 000012
【図９】
0004362242.tif 000013
【図１０】
0004362242.tif 000014
【図１１】
0004362242.tif 000015
【図１２】
0004362242.tif 000016
【図１３】
0004362242.tif 000017